Podtech/llm-jp-corpus-v4-ja_patent huggingface dataset:
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
コンピューティングデバイスによって実行されると、該コンピューティングデバイスに、
第１のプリミティブが、第２のプリミティブに少なくとも部分的にオーバーラップすることを確認するステップと、
前記第１のプリミティブのピクセル領域と、前記第２のプリミティブのピクセル領域との間の差を決定するステップと、
前記第１のプリミティブの前記ピクセル領域に基づいて、前記第１のプリミティブと前記第２のプリミティブの下になっている部分との組合せを処理すべきことを指定する、第１の処理命令を生成するステップと、
前記第１のプリミティブのピクセル領域と前記第２のプリミティブのピクセル領域との間の差に基づいて、前記第２のプリミティブを処理すべきことを指定する、第２の処理命令を生成するステップと、
前記第１の処理命令及び前記第２の処理命令を、グラフィクスプロセッサによる実行のために提示するステップと、
を含む動作を実行させる、コンピュータプログラム。
【請求項２】
前記確認するステップは、前記第１のプリミティブ及び前記第２のプリミティブを特徴付ける空間データ構造を用いて、前記第２のプリミティブの少なくとも一部分にオーバーラップする前記第１のプリミティブの少なくとも一部分を決定する、
請求項１に記載のコンピュータプログラム。
【請求項３】
前記第１のプリミティブのピクセル領域と、前記第２のプリミティブのピクセル領域との間の差を決定するステップは、
前記第２のプリミティブにオーバーラップする前記第１のプリミティブのピクセル領域が、複雑性の閾値以上であるかどうかを判断するステップと、
前記第２のプリミティブにオーバーラップする前記第１のプリミティブのピクセル領域が、前記複雑性の閾値以上でない場合、前記コンピューティングデバイスの中央処理ユニット（ＣＰＵ）に、前記差を計算するよう要求を提示するステップと、
前記第２のプリミティブにオーバーラップする前記第１のプリミティブのピクセル領域が、前記複雑性の閾値以上である場合、グラフィクス処理ユニット（ＧＰＵ）に、前記差を計算するよう要求を提示するステップと、
を含む、請求項１に記載のコンピュータプログラム。
【請求項４】
前記動作は、前記第１のプリミティブの１つ以上の不透明なピクセルが、前記第２のプリミティブの１つ以上のピクセルにオーバーラップする場合、前記第２のプリミティブの前記１つ以上のピクセルが処理されないことを指定するように、前記第１の処理命令を修正するステップ、
を含む、請求項１に記載のコンピュータプログラム。
【請求項５】
デバイスであって：
少なくとも１つのプロセッサと；
１つ以上のコンピュータ読取可能記憶媒体であって、前記少なくとも１つのプロセッサによって実行されると、当該デバイスに、
少なくとも１つのプリミティブが、特定のピクセル領域において、１つ以上の他のプリミティブに少なくとも部分的にオーバーラップすることを判断するステップと、
前記少なくとも１つのプリミティブの少なくとも一部と、前記１つ以上の他のプリミティブとを表示のために単一のプリミティブに組み合わせるように、前記少なくとも１つのプリミティブと、前記１つ以上の他のプリミティブとを一緒に処理すべきことを指定する、処理命令を生成するステップと、
前記処理命令を、前記少なくとも１つのプロセッサとは別個のグラフィクス処理機能へ提示するステップと、
を含む動作を実行させる命令を含む、１つ以上のコンピュータ読取可能記憶媒体と；
を備える、デバイス。
【請求項６】
前記生成するステップは、単一の書込みオペレーションを介して、処理中のメモリへの中間の書込みとは独立に、前記単一のプリミティブをメモリに書き込むべきことを指定する処理命令を生成することを含む、
請求項５に記載のデバイス。
【請求項７】
前記生成するステップは、前記単一のプリミティブに適用すべき１つ以上の視覚的効果を指定する処理命令を生成することを含み、前記視覚的効果は、クリッピング、不透明化、シェーディング又はアンチエイリアスプロシージャのうちの少なくとも１つを含む、
請求項５に記載のデバイス。
【請求項８】
前記生成するステップは、前記少なくとも１つのプリミティブの１つ以上のピクセルが不透明である場合、前記少なくとも１つのプリミティブの前記１つ以上のピクセルによってオーバーラップされる、前記１つ以上の他のプリミティブの１つ以上のピクセルが処理されないことを指定する処理命令を生成することを含む、
請求項５に記載のデバイス。
【請求項９】
前記動作は、前記１つ以上の他のプリミティブにオーバーラップする前記少なくとも１つのプリミティブのピクセル領域と、前記少なくとも１つのプリミティブによってオーバーラップされる前記１つ以上の他のプリミティブのピクセル領域との間の差を決定するステップを備え、
前記生成するステップは、
前記少なくとも１つのプリミティブの前記ピクセル領域に基づいて、前記少なくとも１つのプリミティブと前記１つ以上の他のプリミティブの下になっている部分との組合せを処理すべきことを指定する、第１の処理命令を生成するステップと、
前記１つ以上の他のプリミティブにオーバーラップする前記少なくとも１つのプリミティブのピクセル領域と、前記少なくとも１つのプリミティブによってオーバーラップされる前記１つ以上の他のプリミティブのピクセル領域との間の差に基づいて、前記１つ以上の他のプリミティブを処理すべきことを指定する、第２の処理命令を生成するステップと、
を備える、請求項５に記載のデバイス。
【請求項１０】
前記１つ以上の他のプリミティブにオーバーラップする前記少なくとも１つのプリミティブのピクセル領域と、前記少なくとも１つのプリミティブによってオーバーラップされる前記１つ以上の他のプリミティブのピクセル領域との間の差を決定するステップは、
前記１つ以上の他のプリミティブにオーバーラップする前記少なくとも１つのプリミティブのピクセル領域が、複雑性の閾値以上であるかどうかを判断するステップと、
前記１つ以上の他のプリミティブにオーバーラップする前記少なくとも１つのプリミティブのピクセル領域が、前記複雑性の閾値以上でない場合、前記少なくとも１つのプロセッサを用いて前記差を計算するステップと、
前記１つ以上の他のプリミティブにオーバーラップする前記少なくとも１つのプリミティブのピクセル領域が、前記複雑性の閾値以上である場合、前記グラフィクス処理機能に前記差を計算するように要求を提示するステップと
を含む、請求項９に記載のデバイス。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
方法であって、
コンピューティング・デバイスが、画像内の１つまたは複数の関心箇所を決定するステップであって、各々の関心箇所は、（１）ソーシャルネットワーキング・システムのソーシャルグラフにおけるユーザノードによって表されるユーザ、または（２）ソーシャルネットワーキング・システムのソーシャルグラフにおけるコンセプト・ノードによって表されるコンセプトと対応している、前記決定するステップと、
前記コンピューティング・デバイスが、前記ソーシャルネットワーキング・システムの前記ソーシャルグラフからアクセスされたソーシャルネットワーキング情報に基づいて前記画像内の前記１つ以上の関心箇所の各々に重みを割り当てるステップと、
前記コンピューティング・デバイスが、複数の表示域のテスト位置を分析するステップであって、各表示域のテスト位置が、少なくとも所定の数の重み付けされた関心箇所を含む、前記分析するステップと、ここで、分析は、
表示域のテスト位置の境界を設定すること、ここで、少なくとも１つの境界が前記重み付けされた関心箇所のうちの１つの関心箇所の位置と一致しており、
表示域が表示域のテスト位置に位置しているときに、前記表示域内の任意の重み付けされた関心箇所を識別することを含み、
前記コンピューティング・デバイスが、識別された重み付けられた関心箇所の個々の数および関心箇所の割り当てられた重みに基づいて、さらに表示域内のパディング量に基づいて、分析された表示域のテスト位置のうちの１つを選択するステップと、
前記コンピューティング・デバイスが、選択された表示域のテスト位置に少なくとも部分的に基づいて画像を切り取るステップと
を含む方法。
【請求項２】
少なくとも１つの関心箇所は、人物の画像の少なくとも一部を含む、請求項１に記載の方法。
【請求項３】
範囲が横方向である、請求項１に記載の方法。
【請求項４】
範囲が縦方向である、請求項１に記載の方法。
【請求項５】
動作可能なソフトウェアを実装するコンピュータ読み取り可能で非一時的な１つまたは複数の記憶媒体であって、前記ソフトウェアは、実行されたときに、
画像内の１つまたは複数の関心箇所を決定し、各々の関心箇所は、（１）ソーシャルネットワーキング・システムのソーシャルグラフにおけるユーザノードによって表されるユーザ、または（２）ソーシャルネットワーキング・システムのソーシャルグラフにおけるコンセプト・ノードによって表されるコンセプトと対応しており、
前記ソーシャルネットワーキング・システムの前記ソーシャルグラフからアクセスされたソーシャルネットワーキング情報に基づいて前記画像内の前記１つ以上の関心箇所の各々に重みを割り当て、
複数の表示域のテスト位置を分析し、各表示域のテスト位置が、少なくとも所定の数の重み付けされた関心箇所を含む、前記分析するステップと、ここで、分析は、
表示域のテスト位置の境界を設定すること、ここで、少なくとも１つの境界が前記重み付けされた関心箇所のうちの１つの関心箇所の位置と一致しており、
表示域が表示域のテスト位置に位置しているときに、前記表示域内の任意の重み付けされた関心箇所を識別することを含み、
識別された重み付けられた関心箇所の個々の数および関心箇所の割り当てられた重みに基づいて、さらに表示域内のパディング量に基づいて、分析された表示域のテスト位置のうちの１つを選択し、
選択された表示域のテスト位置に少なくとも部分的に基づいて画像を切り取るように動作可能である、記憶媒体。
【請求項６】
少なくとも１つの関心箇所が、人物の画像の少なくとも一部を含む、請求項５に記載の媒体。
【請求項７】
範囲が、横方向である、請求項５に記載の媒体。
【請求項８】
範囲は、縦方向である、請求項５に記載の媒体。
【請求項９】
システムであって、
１つまたは複数のプロセッサと、
前記プロセッサと結合され、前記プロセッサによって実行可能な命令を含むメモリとを備え、前記プロセッサは、前記命令を実行するときに、
画像内の１つまたは複数の関心箇所を決定し、各々の関心箇所は、（１）ソーシャルネットワーキング・システムのソーシャルグラフにおけるユーザノードによって表されるユーザ、または（２）ソーシャルネットワーキング・システムのソーシャルグラフにおけるコンセプト・ノードによって表されるコンセプトと対応しており、
前記ソーシャルネットワーキング・システムの前記ソーシャルグラフからアクセスされたソーシャルネットワーキング情報に基づいて前記画像内の前記１つ以上の関心箇所の各々に重みを割り当て、
複数の表示域のテスト位置を分析し、各表示域のテスト位置が、少なくとも所定の数の重み付けされた関心箇所を含む、前記分析するステップと、ここで、分析は、
表示域のテスト位置の境界を設定すること、ここで、少なくとも１つの境界が前記重み付けされた関心箇所のうちの１つの関心箇所の位置と一致しており、
表示域が表示域のテスト位置に位置しているときに、前記表示域内の任意の重み付けされた関心箇所を識別することを含み、
識別された重み付けられた関心箇所の個々の数および関心箇所の割り当てられた重みに基づいて、さらに表示域内のパディング量に基づいて、分析された表示域のテスト位置のうちの１つを選択し、
選択された表示域のテスト位置に少なくとも部分的に基づいて画像を切り取るように動作可能である、システム。
【請求項１０】
少なくとも１つの関心箇所が、人物の画像の少なくとも一部を含む、請求項９に記載のシステム。
【請求項１１】
範囲は、横方向である、請求項９に記載のシステム。
【請求項１２】
範囲は、縦方向である、請求項９に記載のシステム。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
ワークピース上のターゲット位置に向けてレーザビームを案内するための装置であって、
前記ワークピース及び前記レーザビームのうち少なくとも一方を互いに方向付ける低帯域幅ポジショナステージと、
前記ワークピース及び前記レーザビームのうち少なくとも一方を互いに方向付ける中間帯域幅ポジショナステージと、
位置コマンドの高周波数部分に応答して前記ワークピースに対して前記レーザビームをフェーズドアレイステアリングするように構成された位相変調器アレイを含む高帯域幅ポジショナステージと、
を備える装置。
【請求項２】
前記低帯域幅ポジショナステージは可動ステージを備える、請求項１の装置。
【請求項３】
前記中間帯域幅ポジショナステージは、ガルバノメータを利用したポジショナ及び音響光学偏向器からなる群から選択される少なくとも１つの要素を備える、請求項１の装置。
【請求項４】
レーザビームのフェーズドアレイ変調のための装置であって、
レーザビームパルスを複数のビームレットに分割するように構成されたスプリッタと、
前記スプリッタに光学的に連結され、前記ビームレット間の位相差を生み出すことが可能な位相変調器アレイと、
前記位相変調器アレイに連結され、前記位相変調器アレイの動作を制御するように構成された位相変調電子機器と、
前記位相変調器アレイにより出力された前記ビームレットを増幅し、これによりその出力において増幅レーザビームを生成するように構成されたマルチコアフォトニック結晶ファイバ増幅器と、
前記位相変調器アレイの出力と前記マルチコアフォトニック結晶ファイバ増幅器の入力との間に連結された導波路と
を備える、装置。
【請求項５】
前記位相変調電子機器は、前記位相変調器アレイの動作を制御して前記増幅レーザビームをステアリング可能である、請求項４の装置。
【請求項６】
前記位相変調電子機器は、前記位相変調器アレイの動作を制御して前記増幅レーザビームを整形可能である、請求項４又は５の装置。
【請求項７】
前記位相変調電子機器は、前記位相変調器アレイの動作を制御して前記増幅レーザビームの焦点を外すことが可能である、請求項６の装置。
【請求項８】
前記レーザビームを生成するように構成されたシードレーザ源をさらに備える、請求項４又は５の装置。
【請求項９】
前記シードレーザ源は、１ns以上のパルス幅を有するレーザパルスビームを生成可能である、請求項８の装置。
【請求項１０】
前記シードレーザ源は、１kHzから１GHzの範囲にあるパルス繰り返し率で前記レーザパルスビームを生成可能である、請求項９の装置。
【請求項１１】
前記シードレーザ源に連結され、前記位相変調電子機器の動作に基づいてシードレーザ出力パワーを変調するように構成されたシードレーザ出力パワー変調器をさらに備える、請求項８の装置。
【請求項１２】
前記位相変調器アレイは、１GHz以上の帯域幅を有する複数の位相変調器を含む、請求項４又は５の装置。
【請求項１３】
前記マルチコアフォトニック結晶ファイバ増幅器は少なくとも７つのコアを含む、請求項４又は５の装置。
【請求項１４】
前記マルチコアフォトニック結晶ファイバ増幅器は、前記位相変調器アレイにより出力された前記ビームレットの増幅中に一時結合される複数のコアを含む、請求項４の装置。
【請求項１５】
前記マルチコアフォトニック結晶ファイバ増幅器は、前記位相変調器アレイにより出力された前記ビームレットのパッシブ位相ロック増幅を行うことが可能である、請求項４の装置。
【請求項１６】
レーザビームのフェーズドアレイ変調のための方法であって、
レーザビームパルスを複数のビームレットに分割し、
位相変調器アレイ内で、前記ビームレット間の位相差を生み出し、
マルチコアフォトニック結晶ファイバ内で、前記位相変調器アレイにより出力された前記ビームレットを増幅する
方法。
【請求項１７】
前記ビームレット間の位相差を生み出す際に、前記位相変調器アレイの動作を制御して前記増幅されたレーザビームをステアリングする、請求項16の方法。
【請求項１８】
前記ビームレット間の位相差を生み出す際に、前記位相変調器アレイの動作を制御して前記増幅されたレーザビームを整形する、請求項16又は17の方法。
【請求項１９】
前記ビームレット間の位相差を生み出す際に、前記位相変調器アレイの動作を制御して前記増幅されたレーザビームの焦点を外す、請求項18の方法。
【請求項２０】
さらに、シードレーザ源を用いて前記レーザビームを生成する、請求項16又は17の方法。
【請求項２１】
前記レーザビームを生成する際に、１ns以上のパルス幅を有するレーザビームを生成する、請求項20の方法。
【請求項２２】
前記レーザビームを生成する際に、１kHzから１GHzの範囲にあるパルス繰り返し率で前記レーザビームを生成する、請求項21の方法。
【請求項２３】
さらに、前記位相変調器アレイの動作に基づいて前記シードレーザ源の出力パワーを変調する、請求項20の方法。
【請求項２４】
前記位相変調器アレイにより出力された前記ビームレットを増幅する際に、パッシブ位相ロック増幅により増幅する、請求項16の方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
患者のＥＣＧ信号におけるモーションアーチファクトを低減する装置において、
前記ＥＣＧ信号から平均値拍動を計算する計算ユニットと、
前記ＥＣＧ信号及び前記ＥＣＧ信号から計算された前記平均値拍動に基づいて残差信号を取得する第１の取得ユニットと、
１以上のカットオフ周波数を用いて前記残差信号のフィルタリングを実行するフィルタリングユニットと、
前記フィルタリングされた残差信号及び前記平均値拍動に基づいて修正されたＥＣＧ信号を取得する第２の取得ユニットと、
前記患者の動作状態を表す加速度信号に基づいて前記フィルタリングの前記１以上のカットオフ周波数を決定する決定ユニットと、
を有する装置。
【請求項２】
前記フィルタリングの前記１以上のカットオフ周波数が、前記加速度信号の信号周波数を有する、請求項１に記載の装置。
【請求項３】
前記加速度信号の前記信号周波数が、前記加速度信号の２つの連続したピーク値の間の時間間隔によって決定される、請求項２に記載の装置。
【請求項４】
前記フィルタリングの前記１以上のカットオフ周波数が、前記加速度信号のパワースペクトルの上位Ｎのパワーエネルギに対応するＮの周波数を有する、請求項１に記載の装置。
【請求項５】
Ｎが［１，１０］の範囲内である、請求項４に記載の装置。
【請求項６】
Ｎが、３である、請求項５に記載の装置。
【請求項７】
前記装置が、
前記加速度信号を用いて前記ＥＣＧ信号の適応フィルタリングを実行する適応フィルタ、
を有し、
前記計算ユニットが、前記適応フィルタリングされたＥＣＧ信号から前記平均値拍動を計算し、
前記第１の取得ユニットが、前記適応フィルタリングされたＥＣＧ信号及び前記適応フィルタリングされたＥＣＧ信号から計算された前記平均値拍動に基づいて前記残差信号を取得する、
請求項１に記載の装置。
【請求項８】
前記第１の取得ユニットが、
前記残差信号を取得するように前記ＥＣＧ信号から前記平均値拍動を減算する減算ユニット、
を有する、請求項１に記載の装置。
【請求項９】
前記第２の取得ユニットが、
前記修正されたＥＣＧ信号を取得するように前記平均値拍動に前記フィルタリングされた残差信号を加算し戻す加算ユニット、
を有する、請求項１に記載の装置。
【請求項１０】
患者のＥＣＧ信号におけるモーションアーチファクトを低減する方法において、前記方法が、
前記ＥＣＧ信号から平均値拍動を計算するステップと、
前記ＥＣＧ信号及び前記ＥＣＧ信号から計算された前記平均値拍動に基づいて残差信号を取得するステップと、
１以上のカットオフ周波数を用いて前記残差信号のフィルタリングを実行するステップと、
前記フィルタリングされた残差信号及び前記平均値拍動に基づいて修正されたＥＣＧ信号を取得するステップと、
を有し、
前記方法が、
前記患者の動作状態を表す加速度信号に基づいて前記フィルタリングの前記１以上のカットオフ周波数を決定するステップ、
を有する、方法。
【請求項１１】
前記決定する方法が、
前記フィルタリングの前記カットオフ周波数として前記加速度信号の信号周波数を決定すること、
を有する、請求項１０に記載の方法。
【請求項１２】
前記決定するステップが、
前記加速度信号の２つの連続したピーク値の間の時間間隔によって前記加速度信号の前記信号周波数を決定すること、
を有する、請求項１１に記載の方法。
【請求項１３】
前記決定するステップが、
前記フィルタリングの前記カットオフ周波数として前記加速度のパワースペクトルの上位Ｎのパワーエネルギに対応するＮの周波数を決定すること、
を有する、請求項１０に記載の方法。
【請求項１４】
前記計算するステップの前に、前記方法が、
前記加速度信号を用いて前記ＥＣＧ信号の適応フィルタリングを実行するステップ、
を有し、
前記計算するステップにおいて、前記平均値拍動が、前記適応フィルタリングされたＥＣＧ信号から計算され、
前記残差信号を取得するステップにおいて、前記残差信号が、前記適応フィルタリングされたＥＣＧ信号及び前記適応フィルタリングされたＥＣＧ信号から計算された前記平均値拍動に基づいて取得される、
請求項１０に記載の方法。
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
ベース部分と、前記ベース部分から延び、かつ使用者の鼻孔の少なくとも１つに嵌入可能な少なくとも１つの鼻突起とを有する顔面取付部と、
ガス源からのガスの流れを受け入れるガス入り口と、前記ガスの流れを前記顔面取付部の前記少なくとも１つの鼻突起に供給するガス出口とを有するガス流マニホルド部と、
を含む鼻カニューレアセンブリであって、
前記マニホルド部は、前記マニホルドの前記出口を前記顔面取付部の前記少なくとも１つの鼻突起に流体的に接続するために、前記顔面取付部の前記ベース部分によって受け入れられるように構成され、前記マニホルド部は、使用時に、使用者の人中に隣接して位置するように構成された前記ベース部分の領域において、前記顔面取付部の前記ベース部分と前記マニホルド部との間に空隙を確立し、それにより、使用時に、前記マニホルド部から前記使用者の隔壁に作用する圧力をなくす、または少なくとも軽減するための溝を前記出口においてさらに含む、鼻カニューレアセンブリ。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
ハウジングと、
該ハウジング内の飲料製造ユニットと、
少なくとも１つの飲料原料のための容器とを含む、
飲料製造機であって、
前記容器は、前記容器内に収容される前記飲料原料をディスペンスする底孔と、該底孔を選択的に開閉するシャッタとを含み、
作動部材が前記ハウジング内に設けられ、前記容器は、前記ハウジングに係止され且つ前記ハウジングから解除されるように設計され、前記作動部材は、前記容器を前記ハウジングに係止する間に前記容器の前記底孔を選択的に開き且つ前記容器を前記ハウジングから解除する間に前記容器の前記底孔を選択的に閉じるために前記シャッタに対して作用する、
飲料製造機。
【請求項２】
前記容器が前記ハウジングに接続されているか否かを検出して、前記容器が前記ハウジングに適切に接続されるときにのみ当該飲料製造機の作動を可能にする許可信号を生成する、感知構成を含む、請求項１に記載の飲料製造機。
【請求項３】
前記容器は、取り外し可能な蓋を有し、前記感知構成は、前記蓋が前記容器に適用され且つ前記容器が前記ハウジングに適切に接続されるときに、許可信号を提供するために構成される、請求項２に記載の飲料製造機。
【請求項４】
前記容器の前記底孔を通じてディスペンスされるコーヒー豆を挽くための豆挽き器を含み、該豆挽き器の作動は、前記許可信号によって可能にされる、請求項２又は３に記載の飲料製造機。
【請求項５】
前記作動部材及び前記シャッタは、前記シャッタを開く前に前記容器が前記ハウジングに係止され且つ前記容器を前記ハウジングから解除する前に前記シャッタが閉じられるように構成される、請求項１乃至４のうちのいずれか１項に記載の飲料製造機。
【請求項６】
前記作動部材は、
前記シャッタと協働するために配置される少なくとも１つの歯と、
前記容器に配置される少なくとも１つのカムプロファイルと協働するカムホロワー又は前記容器に配置される少なくとも１つのカムホロワーと協働するカムプロファイルとを含み、
前記カムプロファイルは、前記容器を前記ハウジングに係止し且つ前記容器を前記ハウジングから解除するために構成され且つ成形される、
請求項１乃至５のうちのいずれか１項に記載の飲料製造機。
【請求項７】
前記少なくとも１つの歯及び前記少なくとも１つのカムホロワー又はカムプロファイルは、共通のスライダに拘束され、該スライダは、前記容器が前記ハウジングに係止され且つ前記底孔が開く第１の位置と前記容器が前記ハウジングから解放され且つ前記シャッタが前記底孔を閉じる第２の位置との間で往復運動を行う、請求項６に記載の飲料製造機。
【請求項８】
前記スライダは、単一のレバーによって制御される、請求項７に記載の飲料製造機。
【請求項９】
２つのカムプロファイルと協働する２つのカムホロワーが設けられる、請求項６、７又は８に記載の飲料製造機。
【請求項１０】
前記カムプロファイルと前記カムホロワーとの間の前記協働が前記ハウジングに対する前記容器の上昇運動及び下降運動を引き起こすよう、前記カムプロファイルは、上昇区画及び下降区画を備えて成形される、請求項６乃至９のうちのいずれか１項に記載の飲料製造機。
【請求項１１】
前記ハウジングは、前記容器をその中に少なくとも部分的に受け入れる寸法とされるシートを有する、請求項１乃至１０のうちのいずれか１項に記載の飲料製造機。
【請求項１２】
前記シートは、底壁と、該底壁にある貫通通路とを有し、前記容器が前記シート内に挿入されるとき、前記容器の前記底孔は、前記シートの前記底壁にある前記貫通通路と整合する、請求項１１に記載の飲料製造機。
【請求項１３】
前記豆挽き器は、前記貫通通路の下に配置される、少なくとも請求項４に従属するときの請求項１２に記載の飲料製造機。
【請求項１４】
前記作動部材に拘束される検出部材と、前記ハウジングと組み合わせられる感知装置とを含み、該感知装置は、前記作動部材の中間位置を検出し、該中間位置において、前記容器の前記底孔は、前記シャッタによって閉じられるが、前記容器は前記ハウジングに係止される、請求項１乃至１３のうちのいずれか１項に記載の飲料製造機。
【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
介入プロシージャの間の使用のための医用X線イメージング装置であって、
-X線源、
-X線検出器、
-X線ビームマニピュレータデバイス、
-制御ユニット、及び
-メモリユニット
を有する、医用X線イメージング装置において、
前記Ｘ線源及び前記X線検出器は、異なるイメージング位置を実現するように移動可能であり、
前記X線ビームマニピュレータデバイスは、前記Ｘ線源と前記X線検出器との間にもたらされる、調整可能なX線ビームダイヤフラムを有し、前記ビームダイヤフラムは、前記制御ユニットによりもたらされるポジショニングデータにより、少なくとも一つのビーム成形要素を移動させるための少なくとも一つの制御可能なアクチュエータ及び少なくとも一つの可動X線ビーム成形要素を有し、
前記制御ユニットは、イメージング位置のための、前記ビームダイヤフラムの構成のための、少なくとも一つの前記ビーム成形要素の位置を表すポジショニングデータを決定し、前記イメージング位置に対応するイメージング構成データを決定するように構成され、
前記メモリユニットは、前記決定されたポジショニングデータ及び前記決定されたイメージング構成データを記憶するように構成され、
前記制御ユニットは、i)現在のイメージング位置に対応するイメージング構成データを、前記メモリユニットにおいて記憶される前記イメージング構成データと比較し、ii)前記メモリユニットから、前記現在のイメージング位置に関連する前記ビームダイヤフラムの構成を表すポジショニングデータを呼び出し、iii)前記呼び出されたポジショニングデータに従って、前記制御可能なアクチュエータを活性化させるように更に構成され、
ユーザインタフェイスは、ユーザが、前記介入プロシージャの現在のステップにおいて前記決定されたポジショニングデータ及び前記決定されたイメージ構成データの前記記憶を活性化させ、前記介入プロシージャにおける後続するステップにおいて前記メモリユニットからの前記ポジショニングデータの呼び出しを活性化させることを可能にするようにもたらされる、
医用X線イメージング装置。
【請求項２】
前記少なくとも一つのビーム成形要素は、ユーザ適応された減衰構成を実現するために、ユーザによって手動調整可能であり、
前記インタフェイスは、前記ユーザ適応された減衰構成のための、ポジショニングデータの記憶の活性化のためにもたらされる、
請求項１に記載の医用X線イメージング装置。
【請求項３】
異なるイメージングモードが、前記ユーザによって記憶される、特定のビームダイヤフラム構成の前記ポジショニングデータに少なくとも部分的に接続される、
請求項１又は２に記載の医用X線イメージング装置。
【請求項４】
前記少なくとも一つのビーム成形要素は、
i)X線ビームを第一の減衰度で減衰させるためのシャッター要素、及び／又は
ii)X線ビームを第二の減衰度で減衰させるためのウェッジ要素
である、請求項１乃至３の何れか一項に記載の医用X線イメージング装置。
【請求項５】
医用イメージングのためのX線イメージングシステムであって、
-X線イメージングデバイス、
-ディスプレイデバイス、及び
-対象物支持デバイス
を有し、
前記X線イメージングデバイスは、請求項１乃至４の何れか一項に記載の医用X線イメージング装置としてもたらされ、
前記ディスプレイデバイスは、前記対象物支持デバイス上に構成される対象物の画像データを表示するように構成され、前記画像データは、前記X線検出器によってもたらされる、
X線イメージングシステム。
【請求項６】
減衰位置インジケータが、非減衰画像領域に重ねられて表示され、前記減衰位置インジケータは、記憶された減衰スキームを示す、請求項５に記載のX線イメージングシステム。
【請求項７】
前記制御ユニットは、検査中の前記対象物及び／又は前記X線イメージング装置の幾何学的な関係のバリエーションを検出するように構成され
前記制御ユニットは、前記バリエーションに従って、記憶されたポジショニングデータから、適応されたポジショニングデータを生成し、前記少なくとも一つの制御可能なアクチュエータに、前記適応されたポジショニングデータを供給するように更に構成される、
請求項５又は６に記載のX線イメージングシステム。
【請求項８】
前記制御ユニットは、前記幾何学的な関係の前記バリエーションの前記検出のための、もたらされた画像のシーケンスにおける対象物検出のために構成される画像プロセッサを有し、前記制御ユニットは、異なるシナリオを含む、いくつかのヒューリスティック層を備える、ヒューリスティックモジュールを有し、前記異なるシナリオは、記憶されたポジショニングデータの前記呼び出しに関する所定の活性化可能な手段を有する、
請求項５乃至７の何れか一項に記載のX線イメージングシステム。
【請求項９】
前記制御ユニットは、所定の介入プロシージャに関して前記画像データにおいて所定の要素を検出するために、画像検出モジュールを有し、前記制御ユニットは、検出された画像内容及び／又は活性化されたイメージングモードに依存して、ポジショニングデータの記憶及び呼び出しを活性化させるために、記憶・呼び出し活性化モジュールを有する、
請求項５に記載のX線イメージングシステム。
【請求項１０】
介入プロシージャの間のX線画像取得のための方法であって、
a)医用イメージング装置のX線ビームマニピュレータデバイスの調整可能なX線ビームダイヤフラムの少なくとも一つの可動X線ビーム成形要素を、第一の減衰構成の第一の位置に移動させ、第一のイメージングモードでX線画像データを取得するステップと、
b)メモリユニットにおいて、イメージング構成データ及び前記少なくとも一つのビーム成形要素の前記第一の位置のポジショニングデータを記憶するステップであって、前記記憶するステップはユーザインタフェイスを通じてユーザによって活性化される、ステップと、
c)少なくとも一つの可動X線ビーム成形要素を、第二の減衰構成の第二の位置に移動させ、第二のイメージングモードでX線画像データを取得するステップと、
d)現在のイメージング位置のためのイメージング構成データを、記憶されたイメージング構成データと比較するステップと、
e)前記現在のイメージング位置のための、記憶されたポジショニングデータを呼び出し、前記制御可能なアクチュエータを活性化させ、前記少なくとも一つの可動X線ビーム成形要素を前記第一の減衰構成の前記第一の位置に移動させるために、前記呼び出されたポジショニングデータを制御ユニットに供給し、前記第一のイメージングモードでX線画像データを取得するステップであって、前記呼び出すステップは前記ユーザインタフェイスを通じて前記ユーザによって活性化される、ステップと
を有する、X線画像取得のための方法。
【請求項１１】
処理ユニットによって実行されるとき、請求項１０の方法ステップを実行するように適応される、請求項１乃至４の何れか一項に記載の装置又は請求項５乃至９の何れか一項に記載のシステムを制御するためのコンピュータプログラム要素。
【請求項１２】
請求項１１に記載の、記憶された前記プログラム要素を有する、コンピュータ読取り可能な媒体。
【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
患者の眼に治療処置を提供するためのシステムであって、前記システムは：
治療ビーム経路に沿って治療ビームを伝導するよう構成された治療ビーム源；
前記治療ビーム経路に沿って配置され、前記患者の眼の眼球組織に沿って前記治療ビームを走査するよう構成された、走査デバイス；及び
前記走査デバイスに連結されたプロセッサ
を備え、
前記プロセッサは：
Ａ）前記治療ビームのために、前記眼球組織に対する複数の標的位置を画定するステップであって、前記複数の標的位置は第１の位置、第２の位置、複数の中間位置を含む、ステップ；
Ｂ）前記治療ビームが関連する前記位置に固定されている際に、前記治療ビームからのパルスを、前記複数の標的位置それぞれにおいて前記眼球組織上に送達し、各前記パルス間に異なる前記標的位置に前記治療ビームを移動させる、ステップ；
Ｃ）前記複数の標的位置の間で前記治療ビームを増分的に走査するステップ；並びに
Ｄ）前記複数の標的位置それぞれにおいて前記治療ビームからの複数の追加のパルスを送達するために、前記ステップＢ）及びＣ）を反復するステップ
を実行するよう構成され、
各前記パルスの幅は、前記眼球組織の従来の光凝固の誘発を回避できるよう十分に短く、
各前記標的位置に配向される前記パルスの総数は、前記位置において治療的治癒反応の光活性化を誘発するために十分なものである、システム。
【請求項２】
照準ビーム経路に沿って照準ビームを伝導するよう構成された照準ビーム源を更に備え、
前記走査デバイスは更に、前記照準ビームを前記眼球組織に沿って走査することによって、前記眼球組織上の前記複数の標的位置を画定するよう構成される、請求項１に記載のシステム。
【請求項３】
各前記標的位置に送達される前記パルス間の時間間隔は、前記第１の位置と前記第２の位置との間の前記複数の標的位置の間の前記治療ビームの増分的な走査の期間と略等しい、請求項１に記載のシステム。
【請求項４】
前記眼球組織は網膜組織を含む、請求項１に記載のシステム。
【請求項５】
前記第１の位置と前記第２の位置との間の前記複数の標的位置の間の前記治療ビームの増分的な走査は、治療サイクルを含み、
前記プロセッサは更に、約１０〜約１００００の前記治療サイクルを提供するよう構成される、請求項１に記載のシステム。
【請求項６】
前記走査デバイスは、アダプタデバイス内に配置され、
前記アダプタデバイスは、眼科的測定機器と着脱可能に連結でき、また前記光ビーム源と光学的に連結できる、請求項１に記載のシステム。
【請求項７】
患者の眼に治療処置を提供するためのシステムであって、前記システムは：
治療ビーム経路に沿って視認可能な治療ビームを伝導するよう構成された治療ビーム源；
前記治療ビーム経路に沿って配置され、前記患者の眼の眼球組織に沿って前記治療ビームを走査するよう構成された、走査デバイス；及び
前記走査デバイスに連結されたプロセッサ
を備え、
前記プロセッサは：
Ａ）前記治療ビームのために、前記眼球組織に対する複数の標的位置を画定するステップであって、前記複数の標的位置は第１の位置、第２の位置、複数の中間位置を含む、ステップ；
Ｂ）前記治療ビームからのパルスを、前記複数の標的位置それぞれにおいて前記眼球組織上に送達し、各前記パルス間に異なる前記標的位置に前記治療ビームを移動させる、ステップ；
Ｃ）前記複数の標的位置が前記ビームによって同時に照明されて現れるように、前記複数の標的位置の間で前記ビームを増分的に走査するステップ；並びに
Ｄ）前記複数の標的位置が前記ビームによって同時に照明されて現れるように、前記複数の標的位置それぞれにおいて前記治療ビームからの複数の追加のパルスを送達するために、前記ステップＢ）及びＣ）を反復するステップ
を実行するよう構成され、
各前記パルスの幅は、前記眼球組織の従来の光凝固の誘発を回避できるよう十分に短く、
各前記標的位置に配向される前記パルスの総数は、前記位置において治療的治癒の光活性化を誘発するために十分なものである、システム。
【請求項８】
前記眼球組織は網膜組織を含む、請求項７に記載のシステム。
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
環帯を含む患者の弁に埋め込むように構成されたデバイスであって、
前記弁の前記環帯と整列されるように構成された環状部分を有するフレームと、
前記フレームの前記環状部分の周りに位置決めされた可視周方向マーキングと、を備えている、
ことを特徴とするデバイス。
【請求項２】
前記フレームは、圧潰構成から拡張構成まで拡張可能であり、
前記拡張構成では、前記フレームの前記環状部分は、前記弁の前記環帯と係合するように構成されている、
ことを特徴とする請求項１に記載のデバイス。
【請求項３】
前記フレームは、前記可視周方向マーキングが前記弁の前記環帯と位置合わせされない場合に該フレームを埋め込み手順中に再位置決めすることができるように、前記拡張構成から少なくとも部分的圧潰構成に少なくとも部分的に潰れるように構成されている、
ことを特徴とする請求項２に記載のデバイス。
【請求項４】
前記フレームは、圧潰構成から部分的拡張構成まで拡張可能であり、
前記部分的拡張構成では、デバイスが、周方向マーキングが前記弁の前記環帯と位置合わせされた時に可視であるように構成されている、
ことを特徴とする請求項１に記載のデバイス。
【請求項５】
前記フレームの少なくとも一部分の上に配置されたスカートを更に備え、
前記可視周方向マーキングは、前記スカート上に配置される、
ことを特徴とする請求項１に記載のデバイス。
【請求項６】
前記可視周方向マーキングは、ダイ、インク、スレッド、及びバンドのうちの１又は２以上から形成されている、
ことを特徴とする請求項１に記載のデバイス。
【請求項７】
前記可視周方向マーキングは、第１の色、材料、又はパターンから第２の色、材料、又はパターンへの移行部を有している、
ことを特徴とする請求項１に記載のデバイス。
【請求項８】
前記可視周方向マーキングは、リボンの縁部を有している、
ことを特徴とする請求項６に記載のデバイス。
【請求項９】
埋め込まれた時に第１の可視周方向マーキングよりも上である位置で前記フレームの周りに位置決めされる第２の可視周方向マーキングを更に備え、
前記第２の周方向マーキングは、デバイスが前記弁内に位置決めされている埋め込み手順の一部の間に送出システムのシースが引き戻されることになる位置を示す、
ことを特徴とする請求項１に記載のデバイス。
【請求項１０】
前記フレームは、前記弁の交連と整列されるように構成された縦方向部分を有し、
デバイスが、前記フレームの前記縦方向部分の少なくとも一部分を示すように位置決めされた１又は２以上の可視交連位置合わせマーキングを更に備えている、
ことを特徴とする請求項１に記載のデバイス。
【請求項１１】
前記フレームの少なくとも一部分の回りに配置されたスカートを更に備え、
前記１又は２以上の可視交連位置合わせマーキングは、前記スカート上に配置される、  ことを特徴とする請求項１０に記載のデバイス。
【請求項１２】
前記フレームは、弁洞の複数の交連のうちの１つと整列されるように各々が構成された複数の縦方向部分を有し、
デバイスが、前記フレームの前記複数の前記縦方向部分のうちの１つの少なくとも一部分を示すように各々が位置決めされた複数の１又は２以上の可視交連位置合わせマーキングを更に備えている、
ことを特徴とする請求項１０に記載のデバイス。
【請求項１３】
前記フレームは、埋め込まれた時に前記環状部分よりも上に位置決めされるフランジを有し、
前記フランジは、圧縮可能かつ拡張可能である、
ことを特徴とする請求項１に記載のデバイス。
【請求項１４】
前記フランジは、前記環帯の周りにデバイスを係止するように構成された凹面形状部分の一部である、
ことを特徴とする請求項１３に記載のデバイス。
【請求項１５】
人工弁であり、
前記フレーム内に配置された弁リーフレットを更に備えている、
ことを特徴とする請求項１に記載のデバイス。
【請求項１６】
人工心臓弁である、
ことを特徴とする請求項１５に記載のデバイス。
【請求項１７】
無縫合人工心臓弁である、
ことを特徴とする請求項１に記載のデバイス。
【手続補正書】
【提出日】平成29年3月24日(2017.3.24)
【手続補正１】
【補正対象書類名】特許請求の範囲
【補正対象項目名】全文
【補正方法】変更
【補正の内容】
【特許請求の範囲】
【請求項１】
匍匐茎まで下るが匍匐茎を含まない芝生の上層を取り除くこと、及び、前記芝草を再生させるようにすることを備える、暖地型匍匐茎性芝草の芝生を管理するための方法であって、
水平軸周りに回転するとともに複数の歯を備える高さ調節可能なロータであって、前記複数の歯が土壌表面をちょうどかすめるように前記ロータの高さが設定された前記ロータを使用し、前記ロータを芝生を横断させながら、未処理の芝生部分が全くまたはほぼ全く残らないような芝生横断速度に対する相対速度で前記ロータを回転させて、前記芝生の上層を取り除くことを特徴とする、方法。
【請求項２】
芝草の葉身及び芝草の枯れ葉を取り除くためにプレイシーズンの終了時にスポーツ芝生に対して実施される請求項１に記載の方法。
【請求項３】
冬草を追い蒔きした芝生に対して実施され、冬草を取り除いて前記匍匐茎性の芝草が温暖期に再生するまでそのままにしておく請求項１に記載の方法。
【請求項４】
人工芝草繊維で強化された芝生に対して実施され、匍匐茎及び人工芝草を所定の位置のままにしておく請求項１に記載の方法。
【請求項５】
前記複数の歯が前記ロータにらせん状に配置されている請求項１に記載の方法。
【請求項６】
２条または４条のらせんがある請求項５に記載の方法。
【請求項７】
土壌表面からの前記ロータの高さは、試行用芝領域に対して手入れして匍匐茎のみが露出するまで高さを調節することによって設定される請求項１に記載の方法。
【請求項８】
前記ロータは、１ｍｍ未満の細かさで高さ調節が可能である請求項１〜７の何れか１項に記載の方法。
【請求項９】
１回転毎に０．１ｍｍの高さ調節をもたらす調節ホイールを備えた歯車付き装置によって高さ調節が行われる請求項１〜８の何れか１項に記載の方法。
【手続補正書】
【提出日】平成29年5月11日(2017.5.11)
【手続補正１】
【補正対象書類名】特許請求の範囲
【補正対象項目名】全文
【補正方法】変更
【補正の内容】
【特許請求の範囲】
【請求項１】
エアロゾル形成基質と、
前記エアロゾル形成基質と軸方向に整列したマウスピースと、
前記エアロゾル形成基質内または前記マウスピース内に配置された液体送達部材であって、前記液体送達部材が液体を放出できるように封じ込める構造材料を含むものと、
前記喫煙物品の少なくとも一部を囲むラッパーとを含み、
前記ラッパーは前記液体に対して透過性の少なくとも一つの領域および前記液体に対して不透過性の少なくとも一つの領域を含み、また
前記少なくとも一つの透過性の領域の少なくとも一部は前記液体送達部材と整列されているかまたはその下流である、喫煙物品。
【請求項２】
前記液体が液体風味剤を含む、請求項1に記載の喫煙物品。
【請求項３】
前記液体送達部材がマウスピース内に配置されている、請求項1〜2のいずれか1項に記載の喫煙物品。
【請求項４】
被覆を施していない領域（単一または複数）が前記液体に対して透過性の少なくとも一つの領域を備え、前記被覆を施した領域（単一または複数）が前記液体に対して不透過性の少なくとも一つの領域を備えるように、前記ラッパーが前記液体に対して不透過性の被覆で部分的に被覆されている、請求項1〜3のいずれか1項に記載の喫煙物品。
【請求項５】
前記エアロゾル形成基質がたばこロッドを含み、前記マウスピースがフィルターを含み、前記ラッパーが前記たばこロッドおよび前記フィルターを付着させるチッピング材料を含む、請求項1〜4のいずれか1項に記載の喫煙物品。
【請求項６】
前記チッピング材料が、前記液体送達部材および前記少なくとも一つの透過性の領域の上流にある穿孔を含む、請求項5に記載の喫煙物品。
【請求項７】
前記ラッパーの透過性の領域（単一または複数）がパターンを形成し、また前記液体が前記液体送達部材の前記構造材料から放出された時、前記液体が前記喫煙物品の外側表面上にパターンを形成する、請求項1〜6のいずれか1項に記載の喫煙物品。
【請求項８】
前記ラッパーが少なくとも前記喫煙物品の口側の端を囲み、前記ラッパーの最下流端が前記液体に対して不透過性である、請求項1〜7のいずれか1項に記載の喫煙物品。
【請求項９】
前記エアロゾル形成基質がたばこロッドを含み、前記マウスピースがフィルターを含み、前記ラッパーが前記フィルターおよび前記たばこロッドの隣接した部分を囲み、前記フィルターの最上流端を囲む前記ラッパーの部分が前記液体に対して不透過性である、請求項1〜8のいずれか1項に記載の喫煙物品。
【請求項１０】
前記エアロゾル形成基質がたばこロッドを含み、前記マウスピースがフィルターを含み、前記ラッパーが前記フィルターおよび前記たばこロッドの隣接した部分を囲み、前記たばこロッドを囲む前記ラッパーの部分が前記液体に対して少なくとも部分的に透過性である、請求項1〜9のいずれか1項に記載の喫煙物品。
【請求項１１】
前記少なくとも一つの透過性の領域が前記ラッパーの表面積の約5%〜約30%である、請求項1〜10のいずれか1項に記載の喫煙物品。
【請求項１２】
前記液体が色付きである、請求項1〜11のいずれか1項に記載の喫煙物品。
【請求項１３】
請求項1〜12のいずれか1項に記載の喫煙物品であって、前記マウスピースがフィルターを含み、前記ラッパーが前記フィルターまたは前記フィルターの一部分の周りを囲むフィルターラッパーを含み、前記液体送達部材が前記フィルター内に配置されている、前記喫煙物品。
【請求項１４】
前記フィルターが、
フィルター材料および前記フィルター材料を囲む上流フィルターラッパーを備えた上流フィルターセグメントと、
フィルター材料および前記フィルター材料を囲む下流フィルターラッパーを備えた、下流フィルターセグメントとを含み、
前記液体送達部材が前記上流フィルターセグメント内に配置され、また
前記フィルターラッパーが上流および下流の両方のフィルターセグメントを囲む、請求項13に記載の喫煙物品。
【請求項１５】
請求項13又は14に記載の喫煙物品であって、前記液体送達部材が前記フィルターのフィルター材料内に埋め込まれる、前記喫煙物品。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
・原子力発電所（４）の格納容器（６）に接続された、高圧部（７４）と低圧部（７６）とを備えた圧力逃がし配管（８）と、
・入口側で圧力逃がし配管（８）の低圧部（７６）に接続し、そこから試料流れにより貫流される機能区間（２０、４６）に案内される試料採取配管（２２）と、
・駆動媒体ノズル（８２）、吸い込みノズル（８６）および出口ノズル（８８）を備えた噴射ポンプ（７８）と、
・入口側で圧力逃がし配管（８）の高圧部（７４）に接続し、そこから噴射ポンプ（７８）に案内され駆動媒体ノズル（８２）に接続される駆動媒体配管（８０）と、
・機能区間（２０，４６）から噴射ポンプ（７８）に案内され吸い込みノズル（８６）に接続される試料戻し配管（５６）と、
を備える原子力発電所（４）のベント系（１６）のエミッション監視システム。
【請求項２】
噴射ポンプ（７８）の出口ノズル（８８）から戻し配管（９０）が圧力逃がし配管（８）の低圧部（７６）に案内されその出口側に接続する請求項１記載のエミッション監視システム。
【請求項３】
戻し配管（９０）の出口開口部（９１）が圧力逃がし配管（８）内のベント流の流れ方向（１２）に見て試料採取配管（２２）の入り口開口部（８４）の後ろに配置される請求項２記載のエミッション監視システム。
【請求項４】
試料採取配管（２２）が加熱媒体により貫流されるジャケット配管（１００）内に案内される請求項１から３の１つに記載のエミッション監視ステム。
【請求項５】
ジャケット配管（１００）が、圧力逃がし配管（８）内のベント流の分岐された分岐流れが加熱媒体として作用するように構成される請求項４記載のエミッション監視システム。
【請求項６】
加熱媒体が試料流れと同じ流れ方向に向けられる請求項５記載のエミッション監視システム。
【請求項７】
機能区間（２０、４６）が圧力逃がし配管（８）の外側に配置される請求項１から６の１つに記載のエミッション監視システム。
【請求項８】
前記機能区間が、エアロゾルフィルタ（５０）またはヨードフィルタ（５２）のいずれか一方または両方を備えたフィルタ区間（４６）を含む請求項１から７の１つに記載のエミッション監視システム。
【請求項９】
前記機能区間が、対応する放射線の検出用に形成されたエアロゾル分析器（２８）、希ガス分析器（３２）、ヨード分析器（３０）のグループからなる複数のオンライン分析器（１８）を備えた分析区間（２０）を含む請求項１から８の１つに記載のエミッション監視システム。
【請求項１０】
高圧部（７４）と低圧部（７６）との間にオリフィス（７２）の形の絞り部が設けられる請求項１から９の１つに記載のエミッション監視システム。
【請求項１１】
ベント系（１６）と、当該ベント系に付属の前記請求項１から１０の１つに記載のエミッション監視システム（２）とを備えた原子力発電所。
【手続補正２】
【補正対象書類名】明細書
【補正対象項目名】００２６
【補正方法】変更
【補正の内容】
【００２６】
さらに試料採取配管２２内の閉鎖弁６０は図１に示すように付加的な接続口、すなわち不活性ガス配管６４またはフラッシングガス配管用の接続口を備えた三方弁として構成できる。たとえばこれにより必要に応じて不活性ガスやフラッシングガス、特に窒素Ｎ２を加圧下にある貯槽６６、たとえば加圧ガスボンベから試料採取配管２２へ導いて、試料流れに混合させることができる。三方弁６０の弁開度を適切に選ぶことによりもっぱら不活性ガスまたはフラッシングガスだけを試料採取配管２２の後続の部分に導入することもできる。同様に機能区間の個々の分岐配管は必要に応じて供給すべき不活性ガス、フラッシングガスまたは各分岐流れの化学的調整試薬用に、短管連結部６７を有することができる。標準的な弁の制御または調節は好ましくは中央の制御ユニット３８を介して手動で行うこともできる。
【手続補正３】
【補正対象書類名】明細書
【補正対象項目名】００３９
【補正方法】変更
【補正の内容】
【００３９】
噴射ポンプ７８は従来の構造で形成することができ、図１の詳細図Ｄに示すように、駆動媒体入口には駆動ノズル９２、さらに下流側には周囲領域から吸い込まれた吸い込み媒体に駆動媒体の噴射流が衝突する混合室９４、出口側には部分的に圧力を回収するためのオプション的なディフューザ９６を有する。代替的に簡単な形態のベンチュリノズル９７を使用することも可能であり、その狭隘部または喉部９８に管壁の開口として吸い込みノズル８６が形成されるようにする。この実施形態は図２の詳細図Ｅに示されている（そこに追加して描かれているジャケット管によって試料採取管１０２に形成される被覆については、さらに下記に詳述する）。
【手続補正４】
【補正対象書類名】図面
【補正対象項目名】図１
【補正方法】変更
【補正の内容】
【図１】
2016517013.tif 000001